(57)【要約】【課題】本発明は、電子機器の設定を表示器上で行う場合において、設定の変更を行う上で、操作性が良い電子機器を提供する。【解決手段】  電子機器の設定状態をＯＳＤにより画面上で設定変更できるようにし、そのためのメニューとして、全設定を変更し得る階層構造のカスタムセットアップメニュー２２の他に、使用頻度の高いメニューを並べたクイックセットアップメニュー２３を設けて、制御部内に記憶する。制御部は、クイックセットアップメニュー２３は、設定項目２１を追加、削除できるようにし、クイックセットアップメニュー２３を表示しているときはクイックセットアップメニュー２３の削除ができ、カスタムセットアップメニュー２２を表示しているときは、設定項目２１を追加できるようにする。さらに、カスタムセットアップメニュー２２の初期化が選択されれば、続けて当該メニュー２２の設定項目２１の削除ができるようにする。【選択図】図２
2006254267.tif 000002
【特許請求の範囲】
【請求項１】
本体にセットされている記録媒体に記録されている映像データを読み取り、その映像データに基づく再生映像信号を生成し出力する再生手段を備え、
複数の設定項目の設定状態に応じて装置本体の動作を制御する動作制御手段と、
すべての設定項目の中から、任意の設定項目の選択を受け付けるとともに、選択されている設定項目に対する設定状態の変更を指示する入力があれば、この入力に基づいて選択される設定項目の設定状態を変更するカスタムセットアップ手段と、
前記設定項目の一部であって予め登録がされている、クイックセットアップ項目の中から、任意の設定項目の選択を受け付けるとともに、選択されている設定項目に対する設定状態の変更を指示する入力があれば、この入力に基づいて選択されている設定項目の設定状態を変更するクイックセットアップ手段と、を備えた画像再生機器において、
前記カスタムセットアップ手段が、選択されている設定項目に対する設定状態の変更を指示する入力を待っている時に特定の入力があれば、その時点で選択されている設定項目を前記クイックセットアップ手段で設定状態の変更が行える設定項目として登録する追加手段と、
前記クイックセットアップ手段が、選択されている設定項目に対する設定状態の変更を指示する入力を待っている時に前記特定の入力があれば、その時点で選択されている設定項目を前記クイックセットアップ手段で設定状態の変更が行える設定項目から削除する削除手段と、を備え、
前記クイックセットアップ項目の初期化する旨の入力があれば、
前記クイックセットアップ項目を初期の設定項目に戻すとともに、
前記カスタムセットアップ手段が、選択されている設定項目に対する設定状態の変更を指示する入力と、
削除手段を指示する入力と、
を待っている状態にする初期化手段を備えた、画像再生機器。
【請求項２】
複数の設定項目の設定状態に応じて装置本体の動作を制御する動作制御手段と、
すべての設定項目の中から、任意の設定項目の選択を受け付けるとともに、選択されている設定項目に対する設定状態の変更を指示する入力があれば、この入力に基づいて選択される設定項目の設定状態を変更するカスタムセットアップ手段と、
前記設定項目の一部であって予め登録がされている、クイックセットアップ項目の中から、任意の設定項目の選択を受け付けるとともに、選択されている設定項目に対する設定状態の変更を指示する入力があれば、この入力に基づいて選択されている設定項目の設定状態を変更するクイックセットアップ手段と、を備えた電子機器において、
前記カスタムセットアップ手段が、選択されている設定項目に対する設定状態の変更を指示する入力を待っている時に特定の入力があれば、その時点で選択されている設定項目を前記クイックセットアップ手段で設定状態の変更が行える設定項目として登録する追加手段と、
前記クイックセットアップ手段が、選択されている設定項目に対する設定状態の変更を指示する入力を待っている時に前記特定の入力があれば、その時点で選択されている設定項目を前記クイックセットアップ手段で設定状態の変更が行える設定項目から削除する削除手段と、を備えた電子機器。
【請求項３】
前記クイックセットアップ項目の初期化する旨の入力があれば、
前記クイックセットアップ項目を初期の設定項目に戻すとともに、
前記カスタムセットアップ手段が、選択されている設定項目に対する設定状態の変更を指示する入力と、
削除手段を指示する入力と、
を待っている状態にする初期化手段を備えた請求項２に記載の電子機器。
【請求項４】
本体にセットされている記録媒体に記録されている映像データを読み取り、その映像データに基づく再生映像信号を生成し出力する再生手段を備えた、請求項２または請求項３のいずれかに記載の電子機器。
【発明の詳細な説明】
【技術分野】
【０００１】
本発明は、ユーザが自分の好みや使用環境に応じて装置本体を動作させることができる画像再生機器及び電子機器に関する。
【背景技術】
【０００２】
従来、一般的な電子機器は、設定を変更するのに、電子機器の各種設定項目をディスプレイの一部に表示しながら設定できるように構成されている。また、この各種設定項目の設定変更の操作を効率化する手段が特許文献１〜３等に開示されている。
【０００３】
例えば、設定項目のすべてを階層構造のメニューで表示する（以下これを「カスタムセットアップメニュー」という。）以外に、よく使用する設定項目のみを一覧表示して、各種設定項目の設定変更の操作を効率化することが行われている（当該メニューを「クイックセットアップメニュー」という。）。
【０００４】
また、特許文献１には、ディスクの種別によってそのディスクに使用できる設定項目のみを表示するものが開示されている。
【０００５】
さらに、特許文献２、３には画面上に表示されるメニューは電子機器で変更できるすべての設定を階層構造で示したメニュー以外に、一覧表示させるものが開示されている。
【特許文献１】特開２００５−１２３４７号公報
【特許文献２】特開２００４−１６５７２５号公報
【特許文献３】特開２００２−２６９９６３号公報
【発明の開示】
【発明が解決しようとする課題】
【０００６】
しかしながら、前述のクイックセットアップメニューで表示させる設定項目は、当該項目は、メーカ指定の固定されたものが表示される構成であった。
【０００７】
このため、ユーザは、自分の好みや使用環境によっては、クイックセットアップメニューに頻繁に設定変更する項目がなかったり、クイックセットアップメニューにおいてほとんど設定変更することのない設定項目がある場合があった。この場合、クイックセットアップメニューの設定項目がユーザの好みや使用環境にあっていない故に、設定項目の設定変更の操作を効率化するという面で十分でなかった。即ち、ユーザが設定変更したい設定項目がクイックセットアップメニューにない場合は、頻繁に使用する設定項目であっても、前述の階層構造のメニューを開いて、設定項目を選択して設定変更する必要があった。さらに別の設定項目に移動するには、当該階層構造のメニューを上位の階層に戻らなくてはならないなど、煩雑な操作が必要であった。
【０００８】
そこで、本発明は、電子機器の設定を表示器上で行う場合において、クイックセットアップメニューを電子機器の使用者がカスタマイズできるようにして、設定項目の設定変更の操作性が良い電子機器を提供する。
【課題を解決するための手段】
【０００９】
本発明は、上述の課題を解決するための手段を以下のように構成している。
【００１０】
（１）複数の設定項目の設定状態に応じて装置本体の動作を制御する動作制御手段と、
すべての設定項目の中から、任意の設定項目の選択を受け付けるとともに、選択されている設定項目に対する設定状態の変更を指示する入力があれば、この入力に基づいて選択される設定項目の設定状態を変更するカスタムセットアップ手段と、
前記設定項目の一部であって予め登録がされている、クイックセットアップ項目の中から、任意の設定項目の選択を受け付けるとともに、選択されている設定項目に対する設定状態の変更を指示する入力があれば、この入力に基づいて選択されている設定項目の設定状態を変更するクイックセットアップ手段と、を備えた電子機器において、
前記カスタムセットアップ手段が、選択されている設定項目に対する設定状態の変更を指示する入力を待っている時に特定の入力があれば、その時点で選択されている設定項目を前記クイックセットアップ手段で設定状態の変更が行える設定項目として登録する追加手段と、
前記クイックセットアップ手段が、選択されている設定項目に対する設定状態の変更を指示する入力を待っている時に前記特定の入力があれば、その時点で選択されている設定項目を前記クイックセットアップ手段で設定状態の変更が行える設定項目から削除する削除手段と、を備えている。
【００１１】
このように構成すれば、前記クイックセットアップ手段によりクイックセットアップメニューの設定項目の設定状態を変更できる時に、前記削除手段によりクイックセットアップメニューの設定項目が削除でき、前記カスタムセットアップ手段によりカスタムセットアップメニューの設定項目が変更できる時に、前記追加手段により前記クイックセットアップメニューの設定項目が追加できる。このように、前記クイックセットアップメニューの設定項目の追加、削除に係る編集を容易に行うことができるから、電子機器の設定項目の設定変更の操作性を向上させることができる。
【００１２】
（２）前記クイックセットアップ項目の初期化する旨の入力があれば、
前記クイックセットアップ項目を初期の設定項目に戻すとともに、
前記カスタムセットアップ手段が、選択されている設定項目に対する設定状態の変更を指示する入力と、
削除手段を指示する入力と、
を待っている状態にする初期化手段を備えている。
【００１３】
このように構成すれば、当該初期化手段により、前記削除手段が入力待ちとなるので、クイックセットアップ項目の中から直ちに不要な項目を削除することができる。機能の簡易化のため、項目数の上限を設ける必要があるところ、ユーザは、上述の削除を行った上で必要な設定項目を追加登録できる。したがって、クイックセットアップメニューの編集作業を容易に行うことができるので、電子機器の設定項目の設定変更の操作性が向上する。
（３）本体にセットされている記録媒体に記録されている映像データを読み取り、その映像データに基づく再生映像信号を生成し出力する再生手段を備えている。
【００１４】
このように構成すれば、当該再生手段により、前記映像データを読み取り再生できるから、動画を再生する画像再生機器において、クイックセットアップメニューのカスタマイズが容易に行うことができる。
【発明の効果】
【００１５】
本発明によれば、クイックセットアップメニューの設定項目を容易に追加登録、または削除できるから、電子機器の設定の操作性が向上する。
【発明を実施するための最良の形態】
【００１６】
図１に本実施形態に係る電子機器の内部構成図を示す。本実施形態の当該電子機器は、ＤＶＤレコーダ１である。その画像出力の対象は、ＤＶＤレコーダ１外の表示器６となっており、その内部構成は以下の通りである。
【００１７】
ＤＶＤレコーダ１の内部構成は、ＤＶＤレコーダ１を動作させるための操作入力を受ける操作部７と、読取部３と、デコーダ４と、エンコーダ１２と、記録部１３と、画面上で当該動作の設定を変更するための画面を生成、出力する手段であるＯＳＤ５（Ｏｎ  Ｓｃｒｅｅｎ  Ｄｉｓｐｌａｙ）と、操作部７の入力を受けてこれらを制御する制御部２とからなる。なお、制御部２は、本願発明の「動作制御手段」に相当する。
【００１８】
操作部７は、本体上またはリモコン上に設置され、少なくともモードキー８を含んでいる。リモコンは、手持ちのボックスに種々のボタンを設け、例えば、赤外線または無線電波等の周知手段で通信するものである。
【００１９】
読取部３は、例えばＤＶＤの画像データ、音声データを読み取る。デコーダ４は、当該画像データ等をデコードして映像信号、音声信号に変換し、ＤＶＤレコーダ１の外にある表示器６に映像信号等を出力する。エンコーダ１２は、例えば、外部のアンテナ等外部入力１１を受けて、この入力を録画データとして記録できる状態にエンコードし、記録部１３がこれをＤＶＤに記録する。
【００２０】
ＯＳＤ５は、制御部２の指示の下で、制御部２の制御により外部の表示器６に出力する映像信号を生成する。制御部２とＯＳＤ５の動作により、ＤＶＤレコーダ１の各種設定項目２１（図２参照。詳細は後述する。）をディスプレイの一部に表示しながら設定することができ、デコーダ４が生成した画像信号に重ねて表示することもできる。ＯＳＤ５の他のメリットとしては、画面上で各種の設定項目２１の設定変更ができるから、操作部７上に配置できるキーの数が限られていてもその制限を受けないことが挙げられる。
【００２１】
制御部２は、ＤＶＤレコーダ１の各種の設定項目２１を設定変更するためのメニューを記憶しており、これらの表示動作を制御する。表示動作を制御部２へ指示するのは、前述の通り操作部７であり、例えばカーソルキー９で、選択の指示入力が与えられるようにする。
【００２２】
現在選択されている設定項目２１（図２参照。詳細は後述する。）は、色を反転したり、周りを四角で囲ったり、点滅させたりすることにより、ハイライト表示２４（図２参照。）を行う。そして、例えば、操作部７付属の決定キー１０（図１参照。）が押下げられることにより、制御部２へ設定の変更を指示する入力が与えられ、これを受けて、制御部２は変更後の設定状態に応じてＤＶＤレコーダ１本体の動作を制御する。
【００２３】
制御部２が記憶しているＤＶＤレコーダ１の各種設定項目の設定変更するためのメニューは、２種類である。図２に、本実施形態に係るＤＶＤレコーダ１のＯＳＤ５に表示される設定メニューの一例を示す。図２（Ａ）の通り、画面上に表示されるメニューはＤＶＤレコーダ１で変更できるすべての設定項目を階層構造で示したカスタムセットアップメニュー２２と、図２（Ｂ）の通り、このすべての設定項目の中から頻繁に設定変更する設定項目２１のみからなるクイックセットアップメニュー２３と、を本実施形態では表示できるようにする。
【００２４】
なお、クイックセットセットアップメニュー２３における設定項目２１（図２（Ｂ）参照。）は、本願発明の「クイックセットセットアップ項目」に相当する。
【００２５】
カスタムセットアップメニュー２２は、ＤＶＤレコーダ１の機能ごとに分類された階層構造になっている。例えば、図２であれば、第１階層は設定項目２１に挙げられるような、画面設定等のメニューであり、当該画面設定の下の階層には、噴出しに示すとおり、第２階層２５、第３階層２６等が用意されていて、ユーザは、当該階層構造のメニューを選択して、第２階層２５、第３階層２６、またはさらに深い階層を開くことができ、あらゆる機能の設定変更する設定項目にたどり着けるようになっている。それ故、ユーザが設定変更をしようとする設定項目２１にたどり着ける確実性において、一覧表示よりも優れている。
【００２６】
しかし、カスタムセットアップメニュー２２で設定変更する際、頻繁に設定変更する設定項目２１であれば、その設定変更は、いちいちその所定の階層のメニューを開き、その階層を戻る操作が必要であるなど、必ずしも効率が良いとはいえない。そこで、クイックセットアップメニュー２３をカスタムセットアップメニュー２２の他に用意して、よく使用する設定の変更が容易に行えるようにする。
【００２７】
クイックセットアップメニュー２３の表示方法は、一覧表示として、階層構造を採用しない。なぜなら、このメニューは、頻繁に設定変更する設定項目２１を限定的に表示するものだから、階層構造とせずとも、設定変更する設定項目２１にたどり着けるものであり、早くたどり着くには一覧表示が便利だからである。
【００２８】
さらに、本実施形態では、クイックセットアップメニュー２３の設定項目２１を追加、削除できるようにする。図３に当該メニューの設定項目２１の追加、削除のフロー図を示す。なお、図３のフローの分岐点における判断の主体は制御部２である。
【００２９】
図３のＳ１において、設定変更モードキー１４（図１参照。）が押下げされているか判断する。当該キーが押下げられている場合はＹとなり、図３のＳ２へ移動する。そうでなければＮとなり、当該キーまたは図示しないの他のキーが押下げされるまで待機する。
【００３０】
図３のＳ２において、Ｓ１において設定変更モードキー１４（図１参照。）が押されたと判断した場合、最初にクイックセットアップメニュー２３を表示する。例えば、図２（Ｂ）のように表示する。そして、カスタムセットアップメニュー２２への移動は、操作部７付属の所定のキー（例えば、カーソルキー９（図１参照。）のうちの左キーとする。以下左キーはＳ３の判断に用いるものとして説明する。）により移動できるようにする。このような表示手段により、ユーザは、設定変更したい設定項目２１がクイックセットアップメニュー２３にあるか否か容易に判別でき、設定項目２１がある場合はクイックセットアップメニュー２３から設定項目２１を選択できる。設定項目２１がない場合は、前述の左キー（Ｓ２の説明参照。）を押下げすることにより、階層構造のカスタムセットアップメニュー２２を開いて、設定変更できる。
【００３１】
なお、図３のＳ２において、クイックセットアップメニュー２３は、カスタムセットアップメニュー２２と同時に表示器６に表示するものであってもよい。これらメニュー２２、２３が同時に開いている場合は、ハイライト表示２４（図２参照。）がされているのがいずれのメニューであるかで後述Ｓ３を判断する。
【００３２】
図３のＳ３において、カスタムセットアップメニュー２２へ移動するためのキー、即ち前述の左キー（Ｓ２の説明参照。）が押下げされたか判断する。当該キーが押下げされた場合Ｙとなり、Ｓ８へ移動する。当該キーが押下げされていない場合Ｎとなり、Ｓ４へ移動する。
【００３３】
図３のＳ４において、設定変更のための決定キー１０（図１参照。）が押下げられたか判断する。押下げられた場合Ｙとなり、Ｓ７に進む。押下げられていない場合、Ｎとなり、Ｓ５に進む。
【００３４】
図３のＳ５において、設定項目２１を削除のためのキー入力があったかどうか判断する。本実施例では、当該入力のためにモードキー８（図１参照。）を設けており、これが押下げられたか判断する。当該キー８が押下げられた場合Ｙとなり、Ｓ６に進む。当該キー８が押下げられていない場合、Ｎとなり、Ｓ３に戻る。即ち、当該キー８が押下げられてない場合、Ｓ２→Ｓ３→Ｓ４→Ｓ５を循環し、これらのステップにおける判断において、カスタムセットアップメニュー２２へ移動するための前記所定のキー、決定キー１０、モードキー８が押下げされるまで待機状態となる。
【００３５】
図３のＳ６において、クイックセットアップメニュー２３から、現在ハイライト表示２４をしている設定項目２１を削除する。この前提として、図３のフローには図示していないが、例えば操作部７付属のカーソルキー９（図１参照。）の上下キーで、当該設定項目２１の選択ができるようにする。以下のＳ７、Ｓ１１、Ｓ１２も同様である。
【００３６】
なお、Ｓ６は、本願発明の「削除手段」に相当する。
【００３７】
図３のＳ７において、現在ハイライト表示２４をしている設定項目２１の設定状態を変更する。まず、ＯＳＤ５が制御部２の指示の下画面上の設定項目２１の表示を変更すると共に、制御部２が、当該設定項目２１を、変更後の設定項目２１の設定状態に応じてＤＶＤレコーダ１の動作を制御する。
【００３８】
なお、図３のＳ７は、本願発明の「クイックセットアップ手段」に相当する。
【００３９】
図３のＳ８において、Ｓ３の判断でカスタムセットアップメニュー２２へメニューが移動したことを前提にして、カスタムセットアップメニュー２２の第１階層を表示する。例えば、図２（Ａ）のように表示する。
【００４０】
図３のＳ９において、設定変更のための決定キー１０（図１参照。）が押下げられたか判断する。押下げられた場合Ｙとなり、Ｓ１２に進む。押下げられていない場合、Ｎとなり、Ｓ１０に進む。この前提として、図３のフローには図示していないが、Ｓ８において、例えば操作部７付属のカーソルキー９の上下キーと決定キー１０で当該メニュー２２の設定項目２１が選択できるようにする。
【００４１】
図３のＳ１０において、設定項目２１を追加するためのキー入力があったかどうか判断する。本実施例では、当該入力のためにモードキー８（図１参照。）を設けており、これが押下げられたか判断する。当該キー８が押下げられた場合Ｙとなり、Ｓ１１に進む。当該キー８が押下げられていない場合、Ｎとなり、Ｓ８に戻る。即ち、当該キー８が押下げられてない場合、Ｓ８→Ｓ９→Ｓ１０を循環し、決定キー１０、モードキー８が押下げられるまで待機状態となる。
【００４２】
図３のＳ１１において、カスタムセットアップメニュー２２において、ハイライト表示２４がされている設定項目２１を、クイックセットアップメニュー２３に追加する。これにより、ユーザがよく使用する設定項目２１を追加登録できる。したがって、クイックセットアップメニュー２３の設定項目２１が初期設定時（後述図４のＳ２２の説明参照。）になくともユーザが自由に追加登録できるので、登録した場合には階層構造となっているカスタムセットアップメニュー２２をたどらなくとも、その登録した設定項目２１についてはクイックセットアップメニュー２３において設定変更可能である。
【００４３】
なお、図３のＳ１１は、本願発明の「追加手段」に相当する。
【００４４】
図３のＳ１２は、Ｓ７と同様である。なお、当該Ｓ１２は、本願発明の「カスタムセットアップ手段」に相当する。
【００４５】
図３の説明についてまとめると、Ｓ１において設定変更モードキー１４の入力を待機し、この入力を受けた場合、まず、クイックセットアップメニュー２３を表示し（Ｓ２）、Ｓ３において左キー（Ｓ２の説明参照。）が押されれば、カスタムセットアップメニュー２２に移動し、当該メニュー２２の設定項目２１を表示する（Ｓ８）。当該左キーが押されない場合、クイックセットアップメニュー２３において、設定変更のための決定キー１０と、設定項目２１の削除のためのモードキー８の入力を受け付ける（Ｓ４，Ｓ５）。Ｓ３において、当該左キーが押された場合カスタムセットアップメニュー２２においては、設定変更のための決定キー１０と、設定項目２１の追加のためのモードキー８の入力を受け付ける（Ｓ９，Ｓ１０）。
【００４６】
次に本実施形態において、クイックセットアップメニュー２３をＤＶＤレコーダ１において設定項目２１を予め定めた初期設定に戻すフローについて説明する。当該フローを図４に示す。当該図４では、図３において省略していた初期化フローに係るＳ２１、Ｓ２６を表示している。それ以外の説明は図３と同様であり、必要がない限り説明を省略する。なお、図４においても、フローの分岐点における判断の主体は制御部２である。以下詳細を説明する。
【００４７】
図４のＳ２１へのフローは、以下の通りである。即ち、Ｓ１において、設定変更モードキー１４（図１参照。）が押されたと判断された場合、Ｓ２において、まず、クイックセットアップメニュー２３が表示され、Ｓ３において、カスタムセットアップのための左キー（図３のＳ３の説明参照。）が押されなければ、Ｓ２１に移動する。
【００４８】
図４のＳ２１において、クイックセットアップの初期化が選択されたか判断する。この選択は、操作部７に所定のキーを設けて行ってもよく、画面上で選択できるようにしても良い。当該選択のためのキー操作等の入力を受ければ、Ｙとなり、Ｓ２２へ移動する。当該入力を受けれなければＮとなり、Ｓ４に移動する。
【００４９】
図４のＳ２２において、クイックセットアップメニュー２３の設定項目２１をＤＶＤレコーダ１において予め定めた初期設定の状態に戻す。即ち、ユーザがクイックセットアップメニュー２３の設定項目２１を追加、削除する前の工場設定値に戻すものである。なお、当該Ｓ２２は、本願発明の「初期化手段」において、「前記クイックセットアップ項目を初期の設定項目に戻す」ことに相当する。
【００５０】
図４のＳ２３において、初期化されたことを制御部２が記憶するため、制御部２内で初期化フラグ＝１を設定する。その後、Ｓ３に戻る。その後、何らキー操作をしなければ、Ｓ３→Ｓ２１→Ｓ４→Ｓ５→Ｓ２までのループを繰り返し、待機状態となる。
【００５１】
なお、当該待機状態は、本願発明における「初期化手段」において、「前記カスタムセットアップ手段が、選択されている設定項目に対する設定状態の変更を指示する入力と、削除手段を指示する入力と、を待っている状態にする」ことに相当する。
【００５２】
図４のＳ４において設定変更のための決定キー１０が押されたと判断されれば、Ｓ７において、ハイライトしている設定項目２１が設定変更される。図４のＳ５において、設定項目２１の削除が選択されれば、クイックセットアップメニュー２３の前述の初期化した設定項目２１のうちハイライト表示２４をしている部分を削除する。
【００５３】
前述の通り、図４のＳ２３において初期化フラグ＝１の場合、Ｓ５において一旦設定項目２１の削除がされれば、クイックセットアップメニュー２３の削除を繰り返しできるようにする。即ち、Ｓ２４において、所定のキー操作等を受けない限り、設定項目２１の削除の動作が、Ｓ５→Ｓ６→Ｓ２４→Ｓ２６までのループを繰り返すようにする。これは、ユーザの使用形態を考慮したものであり、クイックセットアップメニュー２３を初期化したユーザが当該メニュー２３をカスタマイズする場合、まず、初期設定のメニューの中から不要な設定項目２１をすべて削除してから、当該メニューに追加すると考えられるからである。したがって、Ｓ２４、Ｓ２５、Ｓ２６の動作は以下の通りとなる。
【００５４】
図４のＳ２４において、操作部７に所定のキーを設けて、または画面上で選択できるようにして、当該選択のためのキー操作等の入力により、前述の初期化モードを解除する選択ができるようにする。そして、当該初期化モードを解除するための入力を受けた場合、Ｙとなり、Ｓ２５において初期化フラグ＝０となる。当該入力を受けない場合、Ｎとなり、前述の通り、不要な設定項目２１を削除するループ（Ｓ５→Ｓ６→Ｓ２４→Ｓ２６）を繰り返す。
【００５５】
図４のＳ２５において、Ｓ２４において操作部７の所定の入力を受ければ、初期化フラグを０に設定するようにする。これは、画面表示上で行っても良く、所定の操作キーを設けても良い。なお、Ｓ２５において初期化フラグ＝０となると、初期化フラグ＝１でないから、後述の通りＳ２６においてＳ２６の分岐はＮとなり、そのままフローは終了する。
【００５６】
図４のＳ２６において、初期化フラグが１であるか判断する。初期化フラグが１であるならばＹとなり、前述のとおり、不要な設定項目２１を削除するためのループ（Ｓ５→Ｓ６→Ｓ２４→Ｓ２６）を繰り返す。初期化フラグが１でないならばＮとなり、当該ループ（Ｓ５→Ｓ６→Ｓ２４→Ｓ２６）から抜け出て、フローは終了する。
【００５７】
図４の説明をまとめると、クイックセットアップメニュー２３の初期化の動作の特徴は、当該初期化が選択されれば（Ｓ２１）、その設定項目２１を追加、削除する前の初期設定の状態に戻し（Ｓ２２、Ｓ２３）、一旦その初期設定の状態において設定項目２１の削除がなされれば、当該削除動作を連続して行えるようにする（Ｓ５→Ｓ６→Ｓ２４→Ｓ２６）ことにある。
【図面の簡単な説明】
【００５８】
【図１】本実施形態に係るＤＶＤレコーダの内部構成図を示す。
【図２】本実施形態に係るＤＶＤレコーダのＯＳＤに表示される設定メニューの一例を示す。
【図３】本実施形態に係るＤＶＤレコーダにおいてクイックセットアップメニューの設定項目の追加、削除のフロー図を示す。
【図４】本実施形態に係るＤＶＤレコーダにおいてクイックセットアップメニューの設定項目の初期化のフロー図を示す。
【符号の説明】
【００５９】
１−ＤＶＤレコーダ
２−制御部
３−読取部
４−デコーダ
５−ＯＳＤ
６−表示器
７−操作部
８−モードキー
９−カーソルキー
１０−決定キー
１１−アンテナ等外部入力
１２−エンコーダ
１３−記録部
１４−設定変更モードキー
２１−設定項目
２２−カスタムセットアップメニュー
２３−クイックセットアップメニュー
２４−ハイライト表示
２５−第２階層
２６−第３階層
【図１】
2006254267.tif 000003
【図２】
2006254267.tif 000004
【図３】
2006254267.tif 000005
【図４】
2006254267.tif 000006